(57)【要約】【課題】コルゲートチューブの所望の位置に組み付け可能なコルゲートチューブ用固定具。【解決手段】本発明に係るコルゲートチューブ用固定具は、外周面において軸方向に環状の凹部と凸部とが交互に連続形成された蛇腹管状のコルゲートチューブを固定する固定具であって、コルゲートチューブを挿通可能な円筒孔を有する本体部と、凹部および凸部の何れかに各々対応し、円筒孔の内周面に配置され、円筒孔の半径外方向へ押し込み可能な複数の突起部とを備え、コルゲートチューブが内部に挿通された状態で本体部を外部から押圧した場合、凸部に対応する突起部は当該対応する凸部と当接して円筒孔の半径外方向へ押し込まれ、凹部に対応する突起部は当該対応する凹部に嵌合して、当該凹部に嵌合した突起部により当該コルゲートチューブの軸方向の移動を係止する。【選択図】図３
2010226800.tif 000002
【特許請求の範囲】
【請求項１】
外周面において軸方向に環状の凸部と凹部とが交互に連続形成された蛇腹管状のコルゲートチューブを固定する固定具であって、
前記コルゲートチューブを挿通可能な円筒孔を有する本体部と、
前記凹部および前記凸部の何れかに各々対応し、前記円筒孔の内周面に配置され、前記円筒孔の半径外方向へ押し込み可能な複数の突起部とを備え、
前記コルゲートチューブが内部に挿通された状態で前記本体部を外部から押圧した場合、前記凸部に対応する前記突起部は当該対応する凸部と当接して前記円筒孔の半径外方向へ押し込まれ、前記凹部に対応する前記突起部は当該対応する凹部に嵌合して、当該凹部に嵌合した突起部により当該コルゲートチューブの軸方向の移動を係止する、コルゲートチューブ用固定具。
【発明の詳細な説明】
【技術分野】
【０００１】
本発明は、コルゲートチューブ用固定具に関し、より特定的には、当該コルゲートチューブの外周面を保持して固定するコルゲートチューブ用固定具に関する。
【背景技術】
【０００２】
従来、車両等に備えられるワイヤハーネスを保護するため、当該ワイヤハーネスを、外周面に環状の凹凸形状が形成されたコルゲートチューブで被覆する場合がある。そして、このようなコルゲートチューブに覆われたワイヤハーネスを車両内の任意の位置に配線する際には、当該コルゲートチューブを車両のボデーに固定する固定具が用いられる。
【０００３】
上記のような固定具が、特許文献１に開示されている。特許文献１に開示されるワイヤハーネス用クランプは、コルゲート型プロテクタ（所謂コルゲートチューブ）の一方向への移動を許可し、他方向への移動を許可しない係止爪を備える。したがって、ワイヤハーネス用クランプによれば、コルゲート型プロテクタにワイヤハーネス用クランプを嵌合させた後に、ワイヤハーネス用クランプの嵌合位置を修正することができる。
【先行技術文献】
【特許文献】
【０００４】
【特許文献１】特開平０８−１４５２４１号公報
【発明の概要】
【発明が解決しようとする課題】
【０００５】
しかしながら、上記特許文献１に開示されるワイヤハーネス用クランプは、当該ワイヤハーネス用クランプをコルゲートチューブに組み付ける際に、コルゲートチューブの凸部の頂端部と係止爪とが当接した場合、すなわち、係止爪と谷部とが嵌合しなかった場合、コルゲートチューブまたはハーネス用クランプをコルゲートチューブの軸方向へずらして当該係止爪と凹部が嵌合するようにしなければ、当該コルゲートチューブを固定することができなかった。つまり、従来のコルゲートチューブ用の固定具では、コルゲートチューブの所望の位置に当該固定具を組み付けることができない場合があった。
【０００６】
本発明は上記の課題を鑑みて成されたものであり、コルゲートチューブの所望の位置に組み付け可能なコルゲートチューブ用固定具を提供することを目的とする。
【課題を解決するための手段】
【０００７】
上記の課題を解決するため、本願は以下の構成を採用した。すなわち、第１の発明は、外周面において軸方向に環状の凹部と凸部とが交互に連続形成された蛇腹管状のコルゲートチューブを固定する固定具であって、コルゲートチューブを挿通可能な円筒孔を有する本体部と、凹部および凸部の何れかに各々対応し、円筒孔の内周面に配置され、円筒孔の半径外方向へ押し込み可能な複数の突起部とを備え、コルゲートチューブが内部に挿通された状態で本体部を外部から押圧した場合、凸部に対応する突起部は当該対応する凸部と当接して円筒孔の半径外方向へ押し込まれ、凹部に対応する突起部は当該対応する凹部に嵌合して、当該凹部に嵌合した突起部により当該コルゲートチューブの軸方向の移動を係止する、コルゲートチューブ用固定具である。
【発明の効果】
【０００８】
第１の発明によれば、コルゲートチューブ用固定具に備えられた突起部がコルゲートチューブの凹凸に応じて押し込まれ、当該凹凸に嵌合するため、コルゲートチューブの所望の位置にコルゲートチューブ用固定具を組み付け可能である。
【図面の簡単な説明】
【０００９】
【図１】コルゲートチューブ２に組み付けられたコルゲートチューブ用固定具１の斜視図
【図２】コルゲートチューブ２に組み付ける前のコルゲートチューブ用固定具１を円筒孔の中心軸を通る面で切断した断面図
【図３】コルゲートチューブ２に組み付けられたコルゲートチューブ用固定具１の断面図
【図４】図３に示すコルゲートチューブ用固定具１の断面の部分拡大図
【図５】図３におけるＡＡ線断面を示すコルゲートチューブ用固定具１の断面図
【図６】図３におけるＢＢ線断面を示すコルゲートチューブ用固定具１の断面図
【発明を実施するための形態】
【００１０】
以下、本発明に係るコルゲートチューブ用固定具１について説明する。なお、以下では、コルゲートチューブ用固定具１をコルゲートチューブ２に組み付ける例について説明する。図１は、コルゲートチューブ２に組み付けられたコルゲートチューブ用固定具１の斜視図である。
【００１１】
コルゲートチューブ２は、外周面において軸方向に環状の凹部２１と凸部２２とが交互に連続形成された蛇腹管状を成す部材である。
【００１２】
コルゲートチューブ用固定具１は、例えば、合成樹脂素材等により以下に説明する構成で形成された部材である。コルゲートチューブ用固定具１は、コルゲートチューブ２を挿通可能な円筒孔を有する円筒状の本体部材を備える。本体部材は、円筒孔の中心軸を通る面で径方向に２分割して成る略半円筒状の本体上部１１、および本体下部１２から構成される。そして、本体上部１１および本体下部１２の一方端部はヒンジ部１３（図５参照）を介して上記円筒孔を開閉自在に連結される。一方、本体上部１１および本体下部１２の他方端部はロック部１４により、上記円筒孔を閉じた状態で係止可能に構成される。具体的には、ロック部１４は、本体上部１１に備えられた係止爪、および本体下部１２に備えられた係止孔により構成される。そして、係止爪が係止孔に嵌合することにより、本体上部１１および本体下部１２の他方端部が係止される（図５参照）。以下、本体上部１１および本体下部１２の他方端部がロック部１４において係止された状態をロック状態と呼称する。
【００１３】
なお、ヒンジ部１３は、本体上部１１および本体下部１２と一体的に薄肉板状に成形されても構わないし、本体上部１１および本体下部１２とは別途の素材で形成されても構わない。また、ロック部１４は、本体上部１１および本体下部１２の他方端部を係止可能であれば、上記の構成に限らず任意の構成を用いて構わない。
【００１４】
以下、図２から図６を参照して、コルゲートチューブ用固定具１がコルゲートチューブ２を保持する様子について詳細に説明する。
【００１５】
図２は、コルゲートチューブ２に組み付ける前のコルゲートチューブ用固定具１の断面図である。具体的には、図２は、コルゲートチューブ２に組み付ける前のコルゲートチューブ用固定具１をコルゲートチューブ２の軸線を通る面で切断し、当該断面を示した図である。図２に示すように、本体上部１１および本体下部１２の内周面には、各々、円筒孔の中心方向へ向けて突出した複数の突起部１６αおよび突起部１６βが備えられる。なお、詳細は後述図４において説明するが、突起部１６αおよび突起部１６βは、円筒孔の半径外方向へ押し込み可能に各々構成される。本体上部１１および本体下部１２を開いた状態からコルゲートチューブ２を挟み込み閉じた上で、ロック部１４をロック状態とすることで、コルゲートチューブ用固定具１の円筒孔内にコルゲートチューブ２を挿通して保持することができる。
【００１６】
次いで、図３を参照して、本体上部１１および本体下部１２を開いた状態からコルゲートチューブ２を挟み込み閉じた後の様子について説明する。図３は、コルゲートチューブ２に組み付けられたコルゲートチューブ用固定具１の断面図である。具体的には、図３は、図１における、コルゲートチューブ用固定具１をコルゲートチューブ２の軸線を通る面で切断し、当該断面を示した図である。図３に示すように、突起部１６αは、コルゲートチューブ２の凹部２１に当接する突起である。また、突起部１６βは、凸部２２に当接する突起である。図３に示すように、コルゲートチューブ２を挟み込むようにして本体上部１１および本体下部１２を押圧すると、凸部２２に当接する突起部１６βは、当該凸部２２により外方向へ押し込まれる。一方、凹部２１に当接する突起部１６αは、当該凹部２１に嵌合する。このように突起部１６αと凹部２１とが嵌合するため、コルゲートチューブ２は、コルゲートチューブ用固定具１に対して、軸線方向（図３中、Ｐ方向およびＭ方向）の移動を禁止されるようにして固定される。
【００１７】
以下、上記のように突起部１６αが凹部に嵌合し、突起部１６βが当該凸部２２により押し込まれる様子について図４から図６を参照してより詳細に説明する。なお、図４は、図３に示すコルゲートチューブ用固定具の断面の部分拡大図である。
【００１８】
図４に示すように、突起部１６αは、連結部１６２αにより本体上部１１または本体下部１２と各々連結する。連結部１６２αは、突起部１６αが移動した際、当該移動に応じて変形可能に各々構成される。また、本体上部１１および本体下部１２には、当該突起部１６αから見て円筒孔の半径外方向側に、突起部１６αを内包可能な押し込み孔１６３αが各々形成される。
【００１９】
突起部１６αと同様に、突起部１６βは、連結部１６２βにより本体上部１１または本体下部１２と各々連結する。連結部１６２αおよび連結部１６２βは、突起部１６βが移動した際、当該移動に応じて変形可能に各々構成される。また、本体上部１１および本体下部１２には、当該突起部１６βから見て円筒孔の半径外方向側に、突起部１６βを内包可能な押し込み孔１６３βが各々形成される。なお、図４では、突起部１６βが既に押し込み孔１６３βへ押し込まれ、これに伴い連結部１６２βが変形した後の状態を示す。
【００２０】
上記のように、コルゲートチューブ２を挟み込むようにして本体上部１１および本体下部１２を押圧した場合、突起部１６αは、押し込み孔１６３βに押し込まれることなく、凹部２１と嵌合する。すなわち、連結部１６２αは変形することなく、押し込み孔１６３αは空いたままの状態となる。一方、突起部１６βは、凸部２２からの抗力を受けて押し込み孔１６３βへ押し込まれる。この際、連結部１６２βは、突起部１６βの移動に伴い押し縮められる。
【００２１】
次いで、図５および図６を用いて、上記のように突起部１６の突出状態がコルゲートチューブ２の凹凸に応じて変化する様子について上記図３および図４とは異なる視点から説明する。
【００２２】
図５は、図３におけるＡＡ線断面を示すコルゲートチューブ用固定具１の断面図である。具体的には、図５は、コルゲートチューブ用固定具１を突起部１６αを横断し、且つ円筒孔の軸線に鉛直な平面で切断した断面図である。上述の通り、突起部１６αは、押し込み孔１６３αに押し込まれないため、押し込み孔１６３αは空洞状態のままとなる。
【００２３】
図６は、図３におけるＢＢ線断面を示すコルゲートチューブ用固定具１の断面図である。具体的には、図６は、コルゲートチューブ用固定具１を突起部１６βを横断し、且つ円筒孔の軸線に鉛直な平面で切断した断面図である。図６に示すように、突起部１６βは、押し込み孔１６３βに押し込まれるため、押し込み孔１６３βは突起部１６βにより埋められた状態となる。
【００２４】
なお、上記図５および図６に示すように、突起部１６は各々、環状の突条として形成されても構わないし、凹部２１と嵌合可能であれば他の形状に形成されても構わない。例えば、突起部１６は杭状や楔状に形成されても構わない。また、上記に説明した突起部１６を本体部に押し込み可能とする構成は、一例であり、連結部１６を本体部に押し込み可能であれば、上記以外の従来周知の構成としても構わない。
【００２５】
図５および図６に示すように本体下部１２は、車体取付部１５を備える。車体取付部１５は、コルゲートチューブ用固定具１を車両等の配設対象に取り付けるための部材である。例えば、車体取付部１５は、先端が傘状のピンであり、車体に形成された取付穴に当該ピンを差し込むことによりコルゲートチューブ用固定具１を車体に取り付け可能とする。なお、車体取付部１５は配設対象に取り付け可能であれば上記ピンに限らず任意の構成として良い。また、コルゲートチューブ用固定具１の配設対象は、車両に限らず、任意の対象に取り付け可能として良い。
【００２６】
以上より、本発明に係るコルゲートチューブ用固定具１によれば、凹部２１および凸部２２に応じて突起部１６の突出状態が変化するため、コルゲートチューブ２の凹部２１および凸部２２の位置に関わらず、任意の位置にコルゲートチューブ用固定具１を組み付けることができる。つまり、本発明に係るコルゲートチューブ用固定具１によれば、従来のように、コルゲートチューブに固定具を組み付ける際に、凹部と突起部とを嵌合させるために、当該コルゲートチューブを軸方向にずらしたり、固定具をずらしたりする必要がない。したがって、容易に高い位置精度でコルゲートチューブ用固定具１をコルゲートチューブ２に組み付けることができる。故に、車両設計者は、コルゲートチューブ用固定具の取り付け位置の公差を従来よりも小さく見積もり、コルゲートチューブの配線位置等を設計することができる。
【００２７】
なお、上記の実施形態では、コルゲートチューブ用固定具１が予め本体上部１１と本体下部１２とに分割して開閉可能に構成されている例について説明したが、コルゲートチューブ用固定具１は、円筒孔内にコルゲートチューブ２を挿入した後、外部からの加圧により突起部１６と凹部２１とを嵌合可能であれば、必ずしも本体を開閉可能に構成する必要はない。
【００２８】
なお、上記実施形態では、コルゲートチューブ用固定具１が合成樹脂素材で形成される例について説明したが、突起部１６を押し込み可能に構成されていれば、コルゲートチューブ用固定具１は、合成樹脂素材以外の素材で形成されても構わない。例えば、コルゲートチューブ用固定具１は、金属素材で形成されても構わない。
【産業上の利用可能性】
【００２９】
本発明に係るコルゲートチューブ用固定具は、コルゲートチューブの所望の位置に組み付け可能なコルゲートチューブ用固定具などとして有用である。
【符号の説明】
【００３０】
１      コルゲートチューブ用固定具
２      コルゲートチューブ
１１    本体上部
１２    本体下部
１３    ヒンジ部
１４    ロック部
１５    車体取付部
１６α、１６β    突起部
２１    凹部
２２    凸部
１６２  連結部
１６３  押し込み孔
【図１】
2010226800.tif 000003
【図２】
2010226800.tif 000004
【図３】
2010226800.tif 000005
【図４】
2010226800.tif 000006
【図５】
2010226800.tif 000007
【図６】
2010226800.tif 000008